(57)【要約】      （修正有）【課題】カップ式飲料自動販売機の内部の菌の増殖を抑制する。【解決手段】カップ式飲料自動販売機１は、水の供給源６に接続され、水を貯蔵する貯蔵タンク２と、第１の端部１１が貯蔵タンク２に接続され、第２の端部１２に出口ノズル１３が形成された第１の配管Ｌ１と、製氷機３と、貯蔵タンク２を製氷機３に接続し、製氷機３に水を供給する第２の配管Ｌ２と、第１の配管Ｌ１の内部の出口ノズル１３の近傍、出口ノズル１３の外側近傍、第２の配管Ｌ２の内部または貯蔵タンク２の中に位置する、発光ダイオードを備えた紫外線照射装置ＵＶ１，ＵＶ２，ＵＶ４，ＵＶ５と、を有する。【選択図】図４
2018026045.tif 000002
【特許請求の範囲】
【請求項１】
水の供給源に接続され、水を貯蔵する貯蔵タンクと、
第１の端部が前記貯蔵タンクに接続され、第２の端部に出口ノズルが形成された第１の配管と、
製氷機と、
前記貯蔵タンクを前記製氷機に接続し、前記製氷機に水を供給する第２の配管と、
前記第１の配管の内部の前記出口ノズルの近傍、前記出口ノズルの外側近傍、前記第２の配管の内部または前記貯蔵タンクの中に位置する、発光ダイオードを備えた紫外線照射装置と、を有する、カップ式飲料自動販売機。
【請求項２】
前記第１の配管の内部の前記出口ノズルの近傍に第１の前記紫外線照射装置が、前記出口ノズルの外側近傍に第２の前記紫外線照射装置がそれぞれ設けられ、前記第１の紫外線照射装置は前記第２の紫外線照射装置より前記発光ダイオードの出力が大きい、請求項１に記載のカップ式飲料自動販売機。
【請求項３】
前記第１の配管上に位置し、前記第１の配管を流通する水を冷却する冷却装置と、
前記製氷機を前記第１の配管の前記第１の端部と前記冷却装置との間の位置に接続し、前記製氷機の内部で発生したドレン水が流通する第３の配管と、
前記第３の配管の内部に位置し、発光ダイオードを備えた第３の紫外線照射装置と、を有する、請求項１または２に記載のカップ式飲料自動販売機。
【請求項４】
前記第１の配管の内部の前記出口ノズルの近傍に第１の前記紫外線照射装置が設けられ、前記第１の配管の前記第１の紫外線照射装置と前記出口ノズルとの間から分岐して前記製氷機に接続され、前記製氷機に水を供給する第４の配管を有する、請求項１に記載のカップ式飲料自動販売機。
【請求項５】
前記製氷機を前記第２の配管に接続し、前記製氷機の内部で発生したドレン水を前記第２の配管に戻す第５の配管を有し、
前記第２の配管の内部に第４の前記紫外線照射装置が設けられている、請求項１から４のいずれか１項に記載のカップ式飲料自動販売機。
【請求項６】
前記第４の紫外線照射装置は、前記第２の配管の、前記貯蔵タンクに接続された端部と前記第５の配管の合流点との間に位置する、請求項５に記載のカップ式飲料自動販売機。
【請求項７】
前記水の供給源と前記貯蔵タンクとの間に位置する活性炭フィルタと、
前記活性炭フィルタをバイパスするバイパス配管と、を有する、請求項１から６のいずれか１項に記載のカップ式飲料自動販売機。
【発明の詳細な説明】
【技術分野】
【０００１】
本発明はカップ式飲料自動販売機に関し、特に装置内の菌の発生、増殖を抑制する機構に関する。
【背景技術】
【０００２】
貯蔵タンクから供給された水を材料物質と混合して飲料を供給するカップ式飲料自動販売機が知られている。このような装置は例えば、ジュース、茶、コーヒーなどの自動販売機として用いられる。ジュース等の材料となる材料物質が水と同時に供給され、カップの中で混合され、所望の飲料が製造される。このような装置では、水は排出されていないときに出口ノズルの付近に滞留する。しかし、出口ノズルは大気に露出しているため、外気中の菌が出口ノズルから配管の内部に侵入し、配管の内部で増殖し、水とともに排出される可能性がある。また、装置内に導入される水は一旦貯蔵タンクに貯留され、冷水、温水、氷を生成する機構に送水される。貯蔵タンクはオーバーフロー用の開口等から外気が導入される構造となっており、外気中の菌が混入しやすく、長期間貯蔵タンク内に水が滞留した場合、菌が増殖する恐れがある。このように水の供給経路に菌が発生すると、菌を含んだ水が排出されるため衛生上問題になる。そのため、貯蔵タンク内の水中に一対の電極を設置し、直流電圧を印加することで電気分解により水中の塩化物イオンから殺菌作用のある次亜塩素酸を生成することにより、貯蔵タンク内の水を殺菌する技術が知られている（特許文献１）。
【先行技術文献】
【特許文献】
【０００３】
【特許文献１】特開２００６−３１８１８５号公報
【発明の概要】
【発明が解決しようとする課題】
【０００４】
次亜塩素酸は残留性があり、残留塩素としてある程度の期間は水中の菌増殖を抑制することができる。しかし、電気分解による次亜塩素酸の生成量は水中の塩化物イオン濃度によって異なるため、水質変動に合わせた電解制御が必要となる。現状では適切な電解制御が困難であり、残留塩素濃度が高いと飲料の臭いや味に影響するため品質を低下させる可能性がある。
【０００５】
本発明は、飲料の臭いや味に影響することなく菌の増殖を抑制するカップ式飲料自動販売機を提供することを目的とする。
【課題を解決するための手段】
【０００６】
本発明のカップ式飲料自動販売機は、水の供給源に接続され、水を貯蔵する貯蔵タンクと、第１の端部が貯蔵タンクに接続され、第２の端部に出口ノズルが形成された第１の配管と、製氷機と、貯蔵タンクを製氷機に接続し、製氷機に水を供給する第２の配管と、第１の配管の内部の出口ノズルの近傍、出口ノズルの外側近傍、第２の配管の内部または貯蔵タンクの中に位置する、発光ダイオード等を備えた紫外線照射装置と、を有する。
【０００７】
本発明では第１の配管の内部の出口ノズルの近傍、出口ノズルの外側近傍、第２の配管の内部または貯蔵タンクの中に発光ダイオード等を備えた紫外線照射装置が設けられている。このため、カップ式飲料自動販売機での菌の増殖を防止し、出口ノズルから排出される水を衛生上問題のない状態に保つことができる。
【発明の効果】
【０００８】
本発明によれば、発光ダイオード等から照射される残留性のない紫外線で殺菌をおこなうことで飲料の臭いや味に影響することなく、菌の増殖を抑制するカップ式飲料自動販売機を提供することができる。
【図面の簡単な説明】
【０００９】
【図１】本発明の第１の実施形態に係るカップ式飲料自動販売機の概略構成図である。
【図２】本発明の第２の実施形態に係るカップ式飲料自動販売機の概略構成図である。
【図３】本発明の第３の実施形態に係るカップ式飲料自動販売機の概略構成図である。
【図４】本発明の第４の実施形態に係るカップ式飲料自動販売機の概略構成図である。
【発明を実施するための形態】
【００１０】
以下、図面を参照して本発明の実施形態について説明する。本発明の実施形態に係るカップ式飲料自動販売機（以下、自動販売機ともいう）は主にジュース、コーヒー、茶などの材料物質と水とを混合して飲料を供給する飲料の自動販売機として用いられる。材料物質はシロップ等の液体でもよいし、粉末等の固体でもよい。本発明は、常温水、冷水、湯水のいずれを利用するカップ式飲料自動販売機にも使用することもできる。なお、以下に説明する各実施形態においては、複数の紫外線照射装置等が設置されている。しかし、各実施形態において紫外線照射装置等は少なくとも一つ設置されていればよく、少なくとも一つの紫外線照射装置等を設けることで、本発明の効果を奏することができる。
【００１１】
（第１の実施形態）
図１は本発明の第１の実施形態に係るカップ式飲料自動販売機１の概略構成図である。自動販売機１は、水の供給源６に接続され水道水を貯蔵する貯蔵タンク２と、貯蔵タンク２に接続された第１の配管Ｌ１と、を有している。第１の配管Ｌ１は第１の端部１１と第２の端部１２を有している。第１の端部１１は貯蔵タンク２に接続され、第２の端部１２には水を排出する出口ノズル１３が形成されている。出口ノズル１３は紙コップなどの容器１４がセットされる領域１５の直上に設けられている。水の供給源６は例えば水道水を供給する配管である。第１の配管Ｌ１はシリコン、ポリエチレンなどのチューブで作成され、貯蔵タンク２はポリエチレンで作成されている。貯蔵タンク２は省略することもできる。第１の配管Ｌ１上には水を送出するポンプ１６が設けられている。
【００１２】
貯蔵タンク２は活性炭フィルタ１７を介して水の供給源６に接続されている。活性炭フィルタ１７は水の供給源６と第１の端部１１との間に位置しており、本実施形態では水の供給源６と貯蔵タンク２に接続されている。活性炭フィルタ１７は水道水に含まれる残留塩素（一般的に水道水中に含まれる有効塩素濃度は０.１〜１.０ｍｇ/Ｌ）や、トリハロメタン等の微量有機物を除去する。残留塩素は水の味覚に影響を及ぼすため、一般的に貯蔵タンクには全量活性炭フィルタを通して残留塩素を除去した水が貯蔵される。ただし、残留塩素濃度が０.１ｍｇ/Ｌ程度あれば味覚に影響を与えず十分な殺菌作用があり、貯蔵タンク２内の菌の増殖を抑制できる。そこで活性炭フィルタ１７をバイパスするバイパス配管１８を設け、水道水の一部は残留塩素を除去されることなく貯蔵タンク２に貯蔵されるようになっている。このため、活性炭フィルタ１７を通る水の流量は水の供給源６からの水の流量の３０〜８０％程度であることが望ましい。活性炭フィルタ１７と貯蔵タンク２との間には、第１の開閉弁１９が設けられており、貯蔵タンク２に備えられた水位センサ（不図示）の水位検知信号に基づいて第１の開閉弁１９が作動して、貯蔵タンク２に水を供給する。
【００１３】
貯蔵タンク２は水の供給源６から供給された水道水を一時的に貯蔵するために設けられており、省略することも可能である。従って、第１の配管Ｌ１の第１の端部１１は、貯蔵タンク２を介して水の供給源６と間接的に接続されてもいいし、水の供給源６に直接接続されていてもよい。
【００１４】
第１の配管Ｌ１のポンプ１６の下流には第１の配管Ｌ１を流通する水を冷却する冷却装置４が設けられている。冷却装置４は後述する第１の紫外線照射装置ＵＶ１と第１の端部１１との間に設けられている。冷却装置４は第１の配管Ｌ１が通る冷水タンクである。冷水タンクは冷凍サイクル２０と接続され、冷水が供給される。第１の配管Ｌ１は冷水タンク内の冷水との十分な接触長さ（熱交換長さ）を確保するため、冷水タンク内で複数回折り返され、または巻回していることが望ましい。冷却装置４をバイパスするバイパス配管２１が設けられており、常温水を供給する場合、または何らかの理由で冷却装置４をバイパスする場合、不図示の弁を操作して水がバイパス配管２１を通るようにすることができる。
【００１５】
自動販売機１は製氷機３を有している。製氷機３は氷を貯蔵する貯蔵容器３１と、貯蔵容器３１の底部に接続され、製氷を行う製氷ユニット３２と、を有している。水は貯蔵タンク２を製氷ユニット３２に接続する第２の配管Ｌ２によって製氷ユニット３２に供給される。水は製氷ユニット３２で氷となって上方に持ち上げられ、貯蔵容器３１に貯蔵される。貯蔵容器３１の氷は氷排出配管３３を通って重力で落下し、出口ノズル１３と併設された氷排出口３４から排出される。
【００１６】
製氷機３の貯蔵容器３１の下部レベルと中間レベルに第３の配管Ｌ３が接続されている。第３の配管Ｌ３は第１の配管Ｌ１のポンプ１６の入口側に接続されており、製氷機３の内部で発生した低温のドレン水を重力で第１の配管Ｌ１の第１の端部１１と冷却装置４との間に戻す。
【００１７】
第１の配管Ｌ１の内部の出口ノズル１３の近傍には、紫外線を出射する発光ダイオード（以下、ＬＥＤという）を備えた第１の紫外線照射装置ＵＶ１が設けられている。紫外線を発光するダイオードはサファイア基板や窒化アルミ基板（ＡｌＮ基板）上に、発光材料として窒化ガリウム（ＧＡＮ）、窒化アルミニウムガリウム（ＡｌＧａＮ）、窒化アルミニウム（ＡｌＮ）等を使用しＬＥＤ構造を形成したものである。これらの材料を使用したＬＥＤは電流を流すことでピーク波長が２５０〜２８０ｎｍの紫外線を発光することができる。光源を格段に小型化できるため、これまでの紫外線ランプでは設置が難しかった小さいスペースにも設置可能であり、低電圧駆動、高速応答といった長所を持っている。第１の紫外線照射装置ＵＶ１としては、２つの配管の間に挿入、取付け可能なＬＥＤモジュールを用いることができ、例えばＬＥＤ（出力３０ｍＷ／ｃｍ２、波長２７０〜２９０ｎｍ）を内蔵した流水式殺菌モジュール用いることができる。第１の紫外線照射装置ＵＶ１のＬＥＤは第１の配管Ｌ１の内部に紫外線を照射し、第１の配管Ｌ１内の水に存在する菌を殺菌し、または菌の増殖を抑制する。出口ノズル１３は外気に晒されており、大気中の菌が侵入しやすい。特に、水が排出されていない状態では菌が水によって排出されず、出口ノズル１３や第１の配管Ｌ１の内部に滞留しやすい。菌が侵入しやすい出口ノズル１３の近傍に第１の紫外線照射装置ＵＶ１を設けることで、水が排出されていないときでも菌の繁殖を抑制することができる。第１の紫外線照射装置ＵＶ１は冷水を排出するタイミングで作動させることもできるし、一定の時間間隔で間欠的に作動させることもできるし、連続的に作動させることもできる。第１の紫外線照射装置ＵＶ１は一定期間水が排出されないときに作動間隔を短くしてもよい。
【００１８】
出口ノズル１３の外側近傍に紫外線照射装置ＵＶ２が設けられている。出口ノズル１３は外気に晒されており、大気中の菌が混入しやすい。そこで、出口ノズル１３の外側近傍から紫外線照射装置ＵＶ２によって紫外線を照射することで、出口ノズル１３内に進入する菌を殺菌し、菌の増殖を抑制することができる。
【００１９】
第２の紫外線照射装置ＵＶ２も第１の紫外線照射装置ＵＶ１と同様に、紫外線を照射するＬＥＤを備えている。第２の紫外線照射装置ＵＶ２で使用するＬＥＤとしては例えば出力１〜３０ｍＷ／ｃｍ２、波長２７０〜２９０ｎｍのものを用いることができる。
【００２０】
自動販売機１は湯水タンク５を有している。湯水タンク５は第１の配管Ｌ１のポンプ１６と冷却装置４の間から分岐する第６の配管Ｌ６に接続されている。湯水タンク５はヒータ（図示せず）を内蔵し、ヒータで加熱された湯水を貯蔵する。第７の配管Ｌ７が湯水タンク５から延びており、端部に湯水を排出する出口ノズル２２が設けられている。菌は湯水環境下では死滅するため、湯水タンク５と第７の配管Ｌ７には紫外線照射装置は設けられていない。
【００２１】
自動販売機１は飲料の種類を選択する商品選択部７と、コイン、紙幣等の受け入れ部８と、制御部９と、を備えている。飲料を無料で提供する自動販売機の場合、受け入れ部８は省略可能である。商品選択部７は商品を選択するために利用者が押すようにされたボタン７１と、商品選択信号７３を発生する商品選択信号発生部７２と、を有している。商品選択信号発生部７２は、押されたボタン７１に応じてどの飲料が選択されたかを示す商品選択信号７３を生成し、制御部９に送信する。受け入れ部８はコイン、紙幣等の投入口８１と、投入口８１から投入されたコイン、紙幣等の金額を読み取る金額読取部８２と、を備えている。金額読取部８２は読み取った金額の情報８３を制御部９に送信する。
【００２２】
制御部９は、商品選択信号７３と金額の情報８３とを照合し、金額が選択された飲料の価格と同じまたはそれ以上であると判断すると、ポンプ１６を起動し、第１の配管Ｌ１内の水を出口ノズル１３から排出させる。従って、商品選択部７は、水を排出するための入力を受け付け、この入力に基づき所定の信号を生成する入力部を構成する。選択された飲料が湯水を利用する場合は、図示しない弁が切り替えられて、湯水が排出される。これと同時に、制御部９は選択された飲料、すなわち入力された商品選択信号７３に応じ、材料物質を貯蔵する貯蔵タンクに接続された配管３５上の弁（図示せず）を開け、配管３５の出口に設けられた材料物質供給ノズル３６から材料物質を排出する。制御部９は、選択された飲料、すなわち入力された商品選択信号７３に応じて氷排出配管３３の弁（図示せず）を開け、氷排出配管３３の出口に設けられた氷排出口３４から氷を排出させる。水の出口ノズル１３、材料物質供給ノズル３５、氷排出口３４、湯水の出口ノズル２２は容器１４が供給される領域１５の上方に互いに隣接して配置されており、容器１４内で水または湯水と材料物質が混合され、必要に応じて氷が投入され、所望の飲料が作成される。
【００２３】
（第２の実施形態）
図２は本発明の第２の実施形態に係る自動販売機１０１の概略構成図である。本実施形態は第３の配管Ｌ３に第３の紫外線照射装置ＵＶ３が設けられ、貯蔵タンク２に第５の紫外線照射装置ＵＶ５が設けられる点で第１の実施形態と異なる。説明を省略した要素については第１の実施形態と同様である。
【００２４】
第３の配管Ｌ３の内部には、紫外線を照射する発光ダイオードを備えた第３の紫外線照射装置ＵＶ３が設けられている。製氷機３で製造された氷を排出する際、外部空気が製氷機内に導入される。また、貯蔵容器３１には氷が静止状態で長時間滞留することがあり、菌は排出される機会が少なく繁殖しやすい。第３の配管Ｌ３に第３の紫外線照射装置ＵＶ３を設けることで、第１の配管Ｌ１に戻って最終的に出口ノズル１３から排出される水に含まれる菌の増殖を抑制することができる。第３の紫外線照射装置ＵＶ３は上述の第２の紫外線照射装置ＵＶ２で使用するＬＥＤを用いることができる。
【００２５】
貯蔵タンク２の中には、紫外線を照射する発光ダイオードを備えた第５の紫外線照射装置ＵＶ５が設けられている。貯蔵タンク２はオーバーフロー用の開口等が外気と連通する構造となっており、外気中の菌が混入しやすく、長期間貯蔵タンク２内に水が滞留した場合、菌が増殖する。貯蔵タンク２の水は製氷機３の貯蔵容器３１内の氷より流動する可能性が高く、貯蔵タンク２の内部の水により均等に紫外線を照射することができるため、第５の紫外線照射装置ＵＶ５は貯蔵タンク２の内部に設けられている。第５の紫外線照射装置ＵＶ５としては例えば防水加工を施したＬＥＤ殺菌モジュールを用いることができる。防水加工を施すことで、貯蔵タンク２内の水中に設置し水中に直接照射することが可能であり、効率よく水中の菌を殺菌することができる。
【００２６】
（第３の実施形態）
図３は本発明の第３の実施形態に係る自動販売機２０１の概略構成図である。本実施形態は製氷機３に水を供給する第４の配管Ｌ４が設けられている点で第２の実施形態と異なる。説明を省略した要素については第１、第２の実施形態と同様である。
【００２７】
第４の配管Ｌ４は、第１の配管Ｌ１の第１の紫外線照射装置ＵＶ１と出口ノズル１３との間から分岐して製氷機３に接続され、製氷機３に水を供給する。図３では第４の配管Ｌ４が第２の配管Ｌ２に合流するように示されている。
【００２８】
第１の配管Ｌ１の第４の配管Ｌ４の分岐部の下流側には第２の開閉弁２３が、第４の配管Ｌ４の第２の配管Ｌ２との合流部の上流側には第３の開閉弁２４が設けられている。冷水を出口ノズル１３から供給するときは第２の開閉弁２３を開き、第３の開閉弁２４を閉じる。冷水を出口ノズル１３から供給しない場合は、第２の開閉弁２３を閉じ、第３の開閉弁２４を開く。これによって、第１の配管Ｌ１、冷却装置４、第１の配管Ｌ１、第４の配管Ｌ４、製氷機３、第３の配管Ｌ３を通る循環経路が形成される。循環回路に沿って水を循環させるため、ポンプ１６を連続的または間欠的に作動させることが望ましい。冷却装置４で冷却された水が製氷機３に供給されるため、製氷ユニット３２の消費エネルギーを削減できる。また、循環する水に第１の紫外線照射装置ＵＶ１と第３の紫外線照射装置ＵＶ３から紫外線を照射することで、循環経路内での菌の繁殖を一層抑制することができる。
【００２９】
（第４の実施形態）
図４は本発明の第４の実施形態に係る自動販売機３０１の概略構成図である。本実施形態は、製氷機３の内部で発生したドレン水を第２の配管Ｌ２に戻す第５の配管Ｌ５と、第２の配管Ｌ２の内部に設けられた第４の紫外線照射装置ＵＶ４を備えている点で第２の実施形態と異なる。説明を省略した要素については第１、第２の実施形態と同様である。
【００３０】
第２の配管Ｌ２は、第１〜第３の実施形態と同様、貯蔵タンク２の底部を製氷機３の底部の製氷ユニット３２に接続している。第５の配管Ｌ５は製氷機３を第２の配管Ｌ２に接続し、製氷機３の内部で発生したドレン水を第２の配管Ｌ２に戻す。第５の配管Ｌ５は、第１の実施形態と同様、貯蔵容器３１の下部レベルと中間レベルに接続されている。本実施形態では製氷機３のドレン水を製氷機３への供給水として循環させるため、低温の水を効率的に製氷機３に再循環することができ、製氷ユニット３２の消費エネルギーの削減に有効である。第２の配管Ｌ２の内部には紫外線を照射する発光ダイオードを備えた第４の紫外線照射装置ＵＶ４が設けられている。第４の紫外線照射装置ＵＶ４は、第２の配管Ｌ２の、貯蔵タンク２に接続された端部２５と第５の配管Ｌ５との接続点との間に位置しているが、第２の配管Ｌ２の第５の配管Ｌ５の合流点と製氷ユニット３２の入口の間に設けられてもよい。
【００３１】
（実施例１）
第１の実施形態のカップ式飲料自動販売機で殺菌試験を行った。比較例は第１及び第２の紫外線照射装置ＵＶ１、ＵＶ２が設けられていない点を除き、第１の実施形態と同じ構成である。飲料の製造後、第１及び第２の紫外線照射装置ＵＶ１、ＵＶ２から１０分間の紫外線照射を行い、その後第１の紫外線照射装置ＵＶ１から１時間毎に１０分間の紫外線照射を行った。１ヶ月稼動後に出口ノズル１３から排出された冷水中の一般生菌数を測定したところ、比較例では３２００／ｍｌであったのに対して、実施例１では４１／ｍｌに減少した。その後、１週間飲料の作成を停止したところ、バイパス配管１８から貯蔵タンク２に流入した残留塩素の濃度が低下したことにより、貯蔵タンク２と製氷機３に接続される配管で１００〜１０００／ｍｌ程度の菌が検出された。
【００３２】
（実施例２）
第２の実施形態のカップ式飲料自動販売機で殺菌試験を行った。比較例は第１、第２、第３、第５の紫外線照射装置ＵＶ１、ＵＶ２、ＵＶ３、ＵＶ５が設けられていない点を除き、第２の実施形態と同じ構成である。飲料の製造後、第１及び第２の紫外線照射装置ＵＶ１、ＵＶ２から１０分間の紫外線照射を行い、その後第１、第３及び第５の紫外線照射装置ＵＶ１、ＵＶ３、ＵＶ５から１時間毎に１０分間の紫外線照射を行った。１ヶ月稼動後に出口ノズル１３から排出された冷水中の一般生菌数を測定したところ、比較例では３２００／ｍｌであったのに対して、実施例２では約２／ｍｌに減少した。
【００３３】
（実施例３）
第３の実施形態のカップ式飲料自動販売機で殺菌試験を行った。比較例は第１、第２、第３、第５の紫外線照射装置ＵＶ１、ＵＶ２、ＵＶ３、ＵＶ５が設けられていない点を除き、第３の実施形態と同じ構成である。飲料の製造後、第１及び第２の紫外線照射装置ＵＶ１、ＵＶ２から１０分間の紫外線照射を行い、その後、第２の開閉弁２３を閉じ、第３の開閉弁２４を開いて循環経路を形成し、第１、第３及び第４の紫外線照射装置ＵＶ１、ＵＶ３、ＵＶ５から１時間毎に１０分間の紫外線照射を行った。１０分間の紫外線照射中に飲料を作成するために第２の開閉弁２３を開いたときは、飲料の作成後に第２の開閉弁２３を閉じ、第３の開閉弁２４を開いて循環経路を再形成し、残りの時間の照射を行った。１ヶ月稼動後に出口ノズル１３から排出された冷水中の一般生菌数を測定したところ、比較例では３２００個／ｍｌであったのに対して、実施例３では約１個／ｍｌに減少した。
【００３４】
実施例２，３において、その後１週間飲料の作成を停止し、貯蔵タンク２と製氷機３に接続される配管中の菌数数を測定したところ、０〜１０個／ｍｌであり、貯蔵タンク２と製氷機３の付近でも菌の繁殖が抑制できていることが確認できた。
【符号の説明】
【００３５】
１  カップ式飲料自動販売機
２  貯蔵タンク
３  製氷機
４  冷却装置
５  湯水タンク
６  水の供給源
１１  第１の端部
１２  第２の端部
１３  出口ノズル
１７  活性炭フィルタ
Ｌ１〜Ｌ７    第１〜第７の配管
ＵＶ１〜ＵＶ５  第１〜第５の紫外線照射装置
【図１】
2018026045.tif 000003
【図２】
2018026045.tif 000004
【図３】
2018026045.tif 000005
【図４】
2018026045.tif 000006